(57)【要約】      （修正有）【課題】量子ドットを備える発光デバイスであって、発光強度の面内ばらつきが小さい発光デバイスを提供する。【解決手段】発光デバイス１は、発光部１１と、セル１０と、光源１２と、入射光散乱部とを備える。発光部１１は、量子ドットを含む。セル１０は、発光部１１を封止している。光源１２は、発光部１１に対して量子ドットの励起波長の光を出射する。入射光散乱部は、光源１２と、発光部１１との間に配されている。入射光散乱部は、発光部１１への入射光を散乱させる。【選択図】図１
2015233057.tif 000002
【特許請求の範囲】
【請求項１】
量子ドットを含む発光部と、
前記発光部を封止しているセルと、
前記発光部に対して前記量子ドットの励起波長の光を出射する光源と、
前記光源と、前記発光部との間に配されており、前記発光部への入射光を散乱させる入射光散乱部と、
を備える、発光デバイス。
【請求項２】
前記入射光散乱部は、光散乱材を含む、請求項１に記載の発光デバイス。
【請求項３】
前記入射光散乱部は、粒界を有する焼結体からなる、請求項１又は２に記載の発光デバイス。
【請求項４】
前記入射光散乱部は、前記発光部への入射光を散乱させる凹凸面を有する、請求項１〜３のいずれか一項に記載の発光デバイス。
【請求項５】
前記入射光散乱部は、前記セルと前記光源との間に配されている、請求項１〜４のいずれか一項に記載の発光デバイス。
【請求項６】
前記セルは、
第１の主壁部と、
前記第１の主壁部に対して前記光源とは反対側に位置している第２の主壁部と、
前記第１の主壁部と前記第２の主壁部とを接続している側壁部と、
を有し、
前記第１の主壁部が前記入射光散乱部を構成している、請求項１〜４のいずれか一項に記載の発光デバイス。
【請求項７】
前記第２の主壁部は、光散乱材を含む、請求項６に記載の発光デバイス。
【請求項８】
前記第２の主壁部は、粒界を有する焼結体からなる、請求項６又は７に記載の発光デバイス。
【請求項９】
前記第２の主壁部は、前記発光部からの出射光を散乱させる凹凸面を有する、請求項６〜８のいずれか一項に記載の発光デバイス。
【請求項１０】
前記側壁部が金属により構成されている、請求項６〜９のいずれか一項に記載の発光デバイス。
【請求項１１】
前記第１及び第２の主壁部のそれぞれの厚みが、１．０ｍｍ以下である、請求項６〜１０のいずれか一項に記載の発光デバイス。
【請求項１２】
前記第１及び第２の主壁部の屈折率が、１．７０以下である、請求項６〜１１のいずれか一項に記載の発光デバイス。
【請求項１３】
前記発光部の側方に位置している反射部材を備える、請求項１〜１２のいずれか一項に記載の発光デバイス。
【請求項１４】
前記発光部は、光散乱材を含む、請求項１〜１３のいずれか一項に記載の発光デバイス。
【発明の詳細な説明】
【技術分野】
【０００１】
本発明は、発光デバイスに関する。
【背景技術】
【０００２】
近年、発光ダイオードを用いた発光デバイスの進歩が目覚しく、液晶のバックライト、大型ディスプレイ等に採用されている。特に、短波長光の発光素子の半導体材料の発展により、短波長の光を得られるようになってきたため、これを用いて蛍光体を励起してより多様な波長の光を得ることができるようになった。
【０００３】
従来より、量子ドットを用いた発光デバイスが知られている。例えば、特許文献１には、青色ＬＥＤと、青色ＬＥＤを封止する封止部を備え、封止部が量子ドットを含む樹脂組成物からなる発光デバイスが開示されている。
【先行技術文献】
【特許文献】
【０００４】
【特許文献１】特開２０１０−１２６５９６号公報
【発明の概要】
【発明が解決しようとする課題】
【０００５】
青色ＬＥＤ等の光源の出射光強度は、光軸において最も高くなり、光軸から離れるに従って低くなる。このため、量子ドットを含む発光部の光軸上に位置する部分への入射光の強度が高くなり、光軸から離れた部分への入射光の強度が低くなる。よって、発光デバイスの中央部における発光強度が高くなり、周辺部にいくに従って発光強度が低くなるという問題がある。すなわち、発光強度の面内ばらつきがあるという問題がある。
【０００６】
本発明の主な目的は、量子ドットを備える発光デバイスであって、発光強度の面内ばらつきが小さい発光デバイスを提供することにある。
【課題を解決するための手段】
【０００７】
本発明に係る発光デバイスは、発光部と、セルと、光源と、入射光散乱部とを備える。発光部は、量子ドットを含む。セルは、発光部を封止している。光源は、発光部に対して量子ドットの励起波長の光を出射する。入射光散乱部は、光源と、発光部との間に配されている。入射光散乱部は、発光部への入射光を散乱させる。
【０００８】
本発明に係る発光デバイスでは、入射光散乱部が、光散乱材を含んでいてもよい。
【０００９】
本発明に係る発光デバイスでは、入射光散乱部が、粒界を有する焼結体であってもよい。
【００１０】
本発明に係る発光デバイスでは、入射光散乱部が、発光部への入射光を散乱させる凹凸面を有していてもよい。
【００１１】
本発明に係る発光デバイスでは、入射光散乱部が、セルと光源との間に配されていてもよい。
【００１２】
本発明に係る発光デバイスでは、セルは、第１の主壁部と、第１の主壁部に対して光源とは反対側に位置している第２の主壁部と、第１の主壁部の第２の主壁部とを接続している側壁部とを有していてもよい。その場合、第１の主壁部が入射光散乱部を構成していてもよい。
【００１３】
本発明に係る発光デバイスでは、第２の主壁部が、光散乱材を含んでいてもよい。
【００１４】
本発明に係る発光デバイスでは、第２の主壁部が、粒界を有する焼結体であってもよい。
【００１５】
本発明に係る発光デバイスでは、第２の主壁部が、発光部からの出射光を散乱させる凹凸面を有していてもよい。
【００１６】
本発明に係る発光デバイスでは、側壁部が金属により構成されていてもよい。
【００１７】
本発明に係る発光デバイスでは、第１及び第２の主壁部のそれぞれの厚みが、１ｍｍ以下であることが好ましい。
【００１８】
本発明に係る発光デバイスでは、第１及び第２の主壁部の屈折率が、１．７０以下であることが好ましい。
【００１９】
本発明に係る発光デバイスは、発光部の側方に位置している反射部材を備えていてもよい。
【００２０】
本発明に係る発光デバイスでは、発光部が、光散乱材を含んでいてもよい。
【発明の効果】
【００２１】
本発明によれば、量子ドットを備える発光デバイスであって、発光強度の面内ばらつきが小さい発光デバイスを提供することができる。
【図面の簡単な説明】
【００２２】
【図１】第１の実施形態に係る発光デバイスの模式的断面図である。
【図２】第２の実施形態に係る発光デバイスの模式的断面図である。
【図３】第３の実施形態に係る発光デバイスの模式的断面図である。
【図４】第４の実施形態に係る発光デバイスの模式的断面図である。
【発明を実施するための形態】
【００２３】
以下、本発明を実施した好ましい形態について説明する。但し、下記の実施形態は、単なる例示である。本発明は、下記の実施形態に何ら限定されない。
【００２４】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００２５】
（第１の実施形態）
図１は、第１の実施形態に係る発光デバイス１の模式的断面図である。
【００２６】
発光デバイス１は、励起光が入射したときに励起光とは異なる波長の光を出射するデバイスである。発光デバイス１は、励起光と、励起光の照射により生じた光との混合光を出射するものであってもよい。
【００２７】
発光デバイス１は、セル１０を有する。セル１０は、第１の主壁部１０ａと、第２の主壁部１０ｂと、側壁部１０ｃとを有する。第１の主壁部１０ａと第２の主壁部１０ｂとは、相互に間隔をおいて対向している。
【００２８】
本実施形態では、第１及び第２の主壁部１０ａ、１０ｂは、それぞれ、平板状である。第１及び第２の主壁部１０ａ、１０ｂのそれぞれの平面形状は、例えば、矩形であってもよいし、多角形、円形、多円形、長円形等であってもよい。
【００２９】
第１及び第２の主壁部１０ａ、１０ｂのそれぞれの厚みは、１．０ｍｍ以下であることが好ましく、０．５ｍｍ以下であることがより好ましい。第１及び第２の主壁部１０ａ、１０ｂの厚みを薄くすることで、光の取り出し効率を向上させることができる。
【００３０】
第１及び第２の主壁部１０ａ、１０ｂは、それぞれ、例えば、ガラス、セラミックス、樹脂等により構成することができる。なお、本発明において、ガラスには、結晶化ガラスが含まれるものとする。第１及び第２の主壁部１０ａ、１０ｂのそれぞれの屈折率は、１．７０以下であることが好ましく、１．６０以下であることがより好ましい。第１及び第２の主壁部１０ａ、１０ｂの屈折率を小さくすることで、光の取り出し効率を向上させることができる。
【００３１】
側壁部１０ｃは、第１の主壁部１０ａと、第２の主壁部１０ｂとの間に設けられている。側壁部１０ｃは、第１の主壁部１０ａと第２の主壁部１０ｂとのそれぞれと接合されている。具体的には、側壁部１０ｃは、第１及び第２の主壁部１０ａ、１０ｂのそれぞれの周縁部と接合されている。これら側壁部１０ｃ並びに第１及び第２の主壁部１０ａ、１０ｂにより、内部空間１０ｄが構成されている。内部空間１０ｄの厚みは、例えば、０．１ｍｍ〜５ｍｍ程度とすることができる。
【００３２】
側壁部１０ｃは、例えば、額縁状又は管状のひとつの部材により構成されていてもよいし、複数の帯状部材で構成されていてもよい。
【００３３】
側壁部１０ｃは、例えば、ガラス、セラミックス、または、アルミニウム、銅、鉄及びこれらの合金等の少なくとも一種の金属等により構成されていてもよい。
【００３４】
側壁部１０ｃと、第１及び第２の主壁部１０ａ、１０ｂとの接合方法は、特に限定されない。側壁部１０ｃと、第１及び第２の主壁部１０ａ、１０ｂとは、例えば、レーザー溶接等の溶接、陽極接合、半田等の無機接合材を用いた接合等により接合することができる。
【００３５】
内部空間１０ｄ内には、発光部１１が設けられている。発光部１１は、セル１０によって封止されている。発光部１１は、内部空間１０ｄの全体に設けられていてもよいし、内部空間１０ｄの一部に設けられていてもよい。発光部１１は、量子ドットを含む。発光部１１は、１種類の量子ドットを含んでいてもよいし、複数種類の量子ドットを含んでいてもよい。
【００３６】
なお、量子ドットは、量子ドットの励起光が入射したときに、励起光とは異なる波長の光を出射する。量子ドットから出射される光の波長は、量子ドットの粒子径に依存する。すなわち、量子ドットの粒子径を変化させることにより得られる光の波長を調整することができる。このため、量子ドットの粒子径は、得ようとする光の波長に応じた粒子径とされている。量子ドットの粒子径は、通常、２ｎｍ〜１０ｎｍ程度である。
【００３７】
例えば、波長３００ｎｍ〜４４０ｎｍの紫外〜近紫外の励起光を照射すると青色の可視光（波長４４０ｎｍ〜４８０ｎｍの蛍光）を発する量子ドットの具体例としては、粒子径が２．０ｎｍ〜３．０ｎｍ程度のＣｄＳｅ／ＺｎＳの微結晶などが挙げられる。波長３００ｎｍ〜４４０ｎｍの紫外〜近紫外の励起光や波長４４０ｎｍ〜４８０ｎｍの青色の励起光を照射すると緑色の可視光（波長が５００ｎｍ〜５４０ｎｍの蛍光）を発する量子ドットの具体例としては、粒子径が３．０ｎｍ〜３．３ｎｍ程度のＣｄＳｅ／ＺｎＳの微結晶などが挙げられる。波長３００ｎｍ〜４４０ｎｍの紫外〜近紫外の励起光や波長４４０ｎｍ〜４８０ｎｍの青色の励起光を照射すると黄色の可視光（波長が５４０ｎｍ〜５９５ｎｍの蛍光）を発する量子ドットの具体例としては、粒子径が３．３ｎｍ〜４．５ｎｍ程度のＣｄＳｅ／ＺｎＳの微結晶などが挙げられる。波長３００ｎｍ〜４４０ｎｍの紫外〜近紫外の励起光や波長４４０ｎｍ〜４８０ｎｍの青色の励起光を照射すると赤色の可視光（波長が６００ｎｍ〜７００ｎｍの蛍光）を発する量子ドットの具体例としては、粒子径が４．５ｎｍ〜１０ｎｍ程度のＣｄＳｅ／ＺｎＳの微結晶などが挙げられる。
【００３８】
発光部１１は、量子ドットと、量子ドットの分散媒とを含む。分散媒は、例えば、液体であってもよいし、樹脂等の固体であってもよい。発光部１１は、量子ドット及び分散媒に加え、例えば、光散乱材をさらに含んでいてもよい。好ましく用いられる光散乱材の具体例としては、例えば、アルミナ粒子、チタニア粒子、シリカ粒子などの高反射無機化合物粒子及び高反射白色樹脂粒子等が挙げられる。なお、発光部１１に光散乱材を含有させることで、発光部１１における発光強度の面内ばらつきを小さくすることができる。
【００３９】
発光部１１が固体により構成されている場合、発光部１１は、例えば、複数の発光層の積層体により構成されていてもよい。その場合、複数の発光部で、含まれる量子ドットの種類は同じであってもよいし、異なっていてもよい。
【００４０】
発光デバイス１は、光源１２を有する。光源１２は、セル１０の第１の主壁部１０ａ側に配されている。第２の主壁部１０ｂは、第１の主壁部１０ａに対して光源１２とは反対側に位置している。本実施形態では、光源１２は、セル１０とは離間して配されている。但し、本発明は、この構成に限定されない。光源は、セルと接触して配されていてもよい。すなわち、光源の直上にセルの第１の主壁部が配されていてもよい。尚、光源の直上にセルの第１の主壁部を配することにより、光源からの出射光の強度むらを小さくすることができ、発光部１１における発光強度の面内ばらつきを小さくすることができる。
【００４１】
光源１２は、セル１０によって封止された発光部１１に対して、量子ドットの励起波長の光を出射する。光源１２は、例えば、ＬＥＤ（Ｌｉｇｈｔ  Ｅｍｉｔｔｉｎｇ  Ｄｉｏｄｅ）素子、ＬＤ（Ｌａｓｅｒ  Ｄｉｏｄｅ）素子等により構成することができる。本実施形態では、光源１２がＬＥＤにより構成されている例について説明する。
【００４２】
本実施形態において、光源１２は、発光部１１よりも小さい。光源１２は、発光部１１に対して発散光を出射する。
【００４３】
一般的に、光源の種類に関わらず、光源からの出射光には強度分布が存在する。出射光の強度は、光源の光軸上において最も強くなり、光軸から離れるに従って弱くなる。このため、発光部のうち、光源の光軸上に位置する部分に入射する光の強度は相対的に高く、光源の光軸から離れた部分に入射する光の強度は相対的に低くなる。よって、発光部のうち、光源の光軸上に位置する部分からの出射光の強度が相対的に高くなり、光源の光軸から離れた部分からの出射光の強度は相対的に低くなる。従って、発光強度の面内ばらつきが生じ得る。
【００４４】
発光デバイス１では、光源１２と発光部１１との間に位置している第１の主壁部１０ａが光散乱材を含んでおり、入射光散乱部としての機能を兼ね備えている。このため、発光部１１への入射光の強度の面内ばらつきを抑制することができる。換言すれば、発光部１１に対して入射光（励起光）を均一な強度で供給することができる。従って、発光デバイス１の発光強度の面内ばらつきを小さくすることができる。
【００４５】
なお、本実施形態では、光散乱材を含有させることにより入射光散乱部を構成する例について説明した。但し、本発明は、この構成に限定されない。例えば、第１の主壁部１０ａとして、粒界を有する焼結体や、光散乱材を含有させた粒界を有する焼結体を用いて入射光散乱部を構成してもよい。
【００４６】
また、発光部１１への入射光の強度むらをより小さくするために、第１の主壁部１０ａの表面に、発光部１１への入射光を散乱させる凹凸面を設け、その凹凸面により入射光散乱部を構成してもよい。その場合、入射光散乱部を構成する凹凸面の表面粗さは、平均二乗粗さ（ＲＭＳ）で、５ｎｍ〜１００ｎｍであることが好ましく、１０ｎｍ〜５０ｎｍであることがさらに好ましい。尚、入射光散乱部を構成する凹凸面の表面粗さが小さすぎると、発光部１１への入射光を散乱させる効果が得にくくなる。一方、入射光散乱部を構成する凹凸面の表面粗さが大きすぎると、光源１２から出射した光が入射光散乱部表面で反射し、発光部１１へ入射する光の量が少なくなり、変換効率が低下しやすくなる。
【００４７】
発光デバイス１では、発光部１１が光散乱材を含む。このため、発光部１１内においても、光の散乱が生じる。従って、発光強度の面内ばらつきをより小さくすることができる。
【００４８】
発光デバイス１では、第１の主壁部１０ａに加え、第２の主壁部１０ｂも光散乱材を含んでいる。第２の主壁部１０ｂは、出射光を散乱させる出射光散乱部としての機能を兼ね備えている。このため、発光部１１からの出射光が第２の主壁部１０ｂにおいて散乱する。よって、発光デバイス１の発光強度の面内ばらつきをより小さくすることができる。
【００４９】
第２の主壁部１０ｂに光散乱材を含有させる代わりに、粒界を有する焼結体を用いたり、光散乱材を含有させた粒界を有する焼結体を用いてもよい。さらに、第２の主壁部１０ｂの表面に、発光部１１からの出射光を散乱させる凹凸面を設けてもよい。第２の主壁部１０ｂの表面に、凹凸面を設ける場合、第２の主壁部１０ｂの表面の凹凸面の表面粗さは、平均二乗粗さ（ＲＭＳ）で５ｎｍ〜１００ｎｍであることが好ましく、１０ｎｍ〜５０ｎｍであることがより好ましい。尚、第２の主壁部１０ｂの表面粗さが小さすぎると、発光部１１からの出射光を散乱させて発光デバイス１の発光強度の面内ばらつきを小さくする効果が得にくくなる。一方、第２の主壁部１０ｂの表面粗さが大きすぎると、発光部１１で変換された光が第２の主壁部１０ｂ表面で反射して、光源１２側に戻りやすくなり、光の取り出し効率が低下しやすくなる。
【００５０】
発光デバイス１の発光強度の面内ばらつきをより小さくすると共に、発光デバイス１の発光強度を高める観点からは、側壁部１０ｃを金属により構成することが好ましい。側壁部１０ｃが金属により構成されている場合、発光部１１から側壁部１０ｃに向かう光が側壁部１０ｃにおいて反射する。反射光は、主として発光デバイス１の周縁部から出射する。このため、発光デバイス１の周縁部における発光強度が向上する。従って、発光デバイス１の発光強度の面内ばらつきをより小さくすることができる。また、発光部１１からの光の第２の主壁部１０ｂからの取り出し効率を向上することができる。
【００５１】
なお、側壁部１０ｃの全体を金属により構成する必要は必ずしもない。例えば、側壁部１０ｃを、ガラス材と、ガラス材の表面の少なくとも一部を覆う金属層や白色塗膜等の反射膜とにより構成してもよい。
【００５２】
発光デバイス１においては、発光部１１からの光、若しくは、発光部１１からの光と光源１２からの光の混合光の取り出し効率が高いことが望まれている。この観点から、第１及び第２の主壁部１０ａ、１０ｂのそれぞれの厚みは、１．０ｍｍ以下であることが好ましく、０．５ｍｍ以下であることがより好ましい。但し、第１及び第２の主壁部１０ａ、１０ｂのそれぞれの厚みが小さすぎると、第１及び第２の主壁部１０ａ、１０ｂの機械的強度が低くなりすぎる場合がある。従って、第１及び第２の主壁部１０ａ、１０ｂのそれぞれの厚みは、０．００５ｍｍ以上であることが好ましい。また、第１及び第２の主壁部１０ａ、１０ｂのそれぞれの屈折率は、１．７０以下であることが好ましく、１．６０以下であることがより好ましい。第１及び第２の主壁部１０ａ、１０ｂのそれぞれの屈折率は、通常、１．４６以上である。  以下、本発明の好ましい実施形態の他の例について説明する。以下の説明において、上記第１の実施形態と実質的に共通の機能を有する部材を共通の符号で参照し、説明を省略する。
【００５３】
（第２の実施形態）
図２は、第２の実施形態に係る発光デバイス１ａの模式的断面図である。
【００５４】
第１の実施形態に係る発光デバイス１では、第１の主壁部１０ａが入射光散乱部を構成している例について説明した。但し、本発明は、この構成に限定されない。
【００５５】
図２に示すように、第２の実施形態に係る発光デバイス１ａでは、セル１０とは別に、入射光散乱部１３が配されている。入射光散乱部１３は、例えば、光散乱材を含有するガラス板、樹脂板、セラミック板等により構成することができる。また、入射光散乱部１３は、例えば、表面に光を散乱させる凹凸面を有するガラス板、樹脂板、セラミック板等により構成することができる。入射光散乱部１３は、例えば、表面に凹凸面を有すると共に、光散乱材を含有していてもよい。
【００５６】
入射光散乱部１３は、発光部１１が封止されたセル１０と光源１２との間に配されている。入射光散乱部１３は、例えば、光源１２の直上に設けられていてもよいし、セル１０の第１の主壁部１０ａの直下に設けられていてもよいし、光源１２とセル１０との両方から離間して設けられていてもよい。例えば、光源１２からの出射光の強度むらをより小さくする観点からは、入射光散乱部１３が光源１２に近接して配されていることが好ましい。また、入射光散乱部１３を光源１２に近接して配することにより、入射光散乱部１３の面積を小さくし得る。光源１２と、入射光散乱部１３との間の距離をＬ１とし、入射光散乱部１３とセル１０との間の距離をＬ２とすると、Ｌ１／Ｌ２は、１０以下であることが好ましく、８以下であることがより好ましい。尚、Ｌ１／Ｌ２が大きすぎると、入射光散乱部１３を大きくしなければならず、発光デバイスの小型化が難しくなる。
【００５７】
（第３の実施形態）
図３は、第３の実施形態に係る発光デバイス１ｂの模式的断面図である。
【００５８】
第１及び第２の実施形態では、側壁部１０ｃが、第１の主壁部１０ａの第２の主壁部１０ｂ側の表面と、第２の主壁部１０ｂの第１の主壁部１０ａ側の表面とを接続している例について説明した。但し、本発明は、この構成に限定されない。
【００５９】
図３に示すように、発光デバイス１ｂでは、側壁部１０ｃは、セル１０の厚み方向における一方側端部から他方側端部に跨がって設けられている。側壁部１０ｃは、セル１０の側面の全体を構成している。側壁部１０ｃは、第１及び第２の主壁部１０ａ、１０ｂの端面に接続されている。
【００６０】
発光デバイス１ｂにおいても、側壁部１０ｃが金属材等の反射部材により構成されていることが好ましい。セル１０の厚み方向における一方側端部から他方側端部に跨がって設けられた側壁部１０ｃを反射部材により構成することにより、発光部１１から側方に向けて出射された光の第２の主壁部１０ｂの周縁部からの取り出し効率をさらに高めることができる。従って、発光デバイス１ｂの発光強度の面内ばらつきをさらに小さくできると共に、発光デバイス１ｂの発光強度をさらに向上することができる。
【００６１】
（第４の実施形態）
図４は、第４の実施形態に係る発光デバイス１ｃの模式的断面図である。
【００６２】
第４の実施形態に係る発光デバイス１ｃでは、側壁部１０ｃが、ガラス材等の透光性部材により構成されている。セル１０の側面１０ｅの上には、反射部材１４が配されている。本実施形態では、反射部材１４は、側面１０ｅの実質的に全体を覆うように設けられている。反射部材１４を設けることにより、発光部１１から側方に向けて出射された光の第２の主壁部１０ｂの周縁部からの取り出し効率をさらに高めることができる。従って、発光デバイス１ｃの発光強度の面内ばらつきをさらに小さくできると共に、発光デバイス１ｃの発光強度をさらに向上することができる。
【符号の説明】
【００６３】
１，１ａ，１ｂ，１ｃ，  発光デバイス
１０  セル
１０ａ  第１の主壁部
１０ｂ  第２の主壁部
１０ｃ  側壁部
１０ｄ  内部空間
１０ｅ  側面
１１  発光部
１２  光源
１３  入射光散乱部
１４  反射部材
【図１】
2015233057.tif 000003
【図２】
2015233057.tif 000004
【図３】
2015233057.tif 000005
【図４】
2015233057.tif 000006